(57)【要約】      （修正有）【課題】リモコンで操作される電子機器において、多機能なリモコンを所望するユーザと、操作が簡易なリモコンを所望するユーザの、両者の希望を実現させる。【解決手段】電子機器は、リモコンから出力された電源ＯＮを指示するリモコン信号を受信し、電源をＯＮ制御する電源制御部を備える。また、前記リモコン信号を出力した前記リモコンが第１のリモコンであるか、第２のリモコンであるかを検出するリモコン検出部を備える。また、前記検出されたリモコンが第１のリモコンである場合は第１の表示を出力し、前記第１のリモコンの指示で動作する動作部を備える。【選択図】図１
2014013979.tif 000002
【特許請求の範囲】
【請求項１】
リモコンから出力された電源ＯＮを指示するリモコン信号を受信し、電源をＯＮ制御する電源制御部と、
前記リモコン信号を出力した前記リモコンが第１のリモコンであるか、第２のリモコンであるかを検出するリモコン検出部と、
前記検出されたリモコンが第１のリモコンである場合は第１の表示を出力し、前記第１のリモコンの指示で動作する動作部を備える電子機器。
【請求項２】
前記検出されたリモコンが第２のリモコンである場合は第２の表示を出力し、前記第２のリモコンの指示で動作する動作部を備える請求項１に記載の電子機器。
【請求項３】
前記リモコンの検出に、前記リモコン信号に含まれる識別符号が用いられる請求項１または請求項２に記載の電子機器。
【請求項４】
前記第１の表示は、操作可能な項目の数が、前記第２の表示よりも多く出力される請求項２に記載の電子機器。
【請求項５】
前記第１のリモコンは、前記第２のリモコンより操作キーが多く配置されている請求項１または請求項２に記載の電子機器。
【請求項６】
リモコンから出力された電源ＯＮを指示するリモコン信号を受信し、電源をＯＮ制御するステップと、
前記リモコン信号を出力した前記リモコンが第１のリモコンであるか、第２のリモコンであるかを検出するステップと、
前記検出されたリモコンが第１のリモコンである場合は第１の表示を出力し、前記第１のリモコンの指示で動作するステップを備える電子機器の制御方法。
【請求項７】
リモコンから出力された電源ＯＮを指示するリモコン信号を受信し、電源をＯＮ制御するステップと、
前記リモコン信号を出力した前記リモコンが第１のリモコンであるか、第２のリモコンであるかを検出するステップと、
前記検出されたリモコンが第１のリモコンである場合は第１の表示を出力し、前記第１のリモコンの指示で動作するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、テレビ等の電子機器のユーザ操作に、例えば、リモートコントローラ（リモコン）が用いられている。
【０００３】
このリモコンの機能について、あるユーザからは、例えば、電子機器（テレビ等）の機能の拡張に伴い、操作キーが増加したり、操作が複雑になったりはするものの、多機能なリモコン（標準リモコン）が望まれていた。
【０００４】
また、他のユーザからは、上記多機能なリモコン（標準リモコン）に比べると、例えば、機能が限定されることはあるものの、操作が簡易なリモコン（簡易リモコン）が望まれていた。
【０００５】
しかし、標準リモコンと簡易リモコンという異なる希望を同時にかなえることはできず、一般に、電子機器に用いられるリモコンの仕様は１つであった。
【０００６】
このため、リモコンで操作される電子機器において、多機能なリモコンを所望するユーザと、操作が簡易なリモコンを所望するユーザの、両者の希望を実現させることが課題になっていた。
【先行技術文献】
【特許文献】
【０００７】
【特許文献１】特開２００５−０６５３０４号公報
【特許文献２】特開２００７−２３５１９８号公報
【発明の概要】
【発明が解決しようとする課題】
【０００８】
リモコンで操作される電子機器において、多機能なリモコンを所望するユーザと、操作が簡易なリモコンを所望するユーザの、両者の希望を実現させることが課題になっていた。
【課題を解決するための手段】
【０００９】
実施形態の電子機器は、リモコンから出力された電源ＯＮを指示するリモコン信号を受信し、電源をＯＮ制御する電源制御部を備える。
【００１０】
また、前記リモコン信号を出力した前記リモコンが第１のリモコンであるか、第２のリモコンであるかを検出するリモコン検出部を備える。
【００１１】
また、前記検出されたリモコンが第１のリモコンである場合は第１の表示を出力し、前記第１のリモコンの指示で動作する動作部を備える。
【図面の簡単な説明】
【００１２】
【図１】実施形態に係わる電子機器の外観を示す図。
【図２】実施形態に係わる電子機器の構成を示すブロック図。
【図３】実施形態に係わる電子機器に用いられるリモコンを示す図。
【図４】実施形態に係わる電子機器に用いられるそれぞれのリモコンに応じて表示されるメニュー画面を示す図。
【図５】実施形態に係わる電子機器のマイコンにおけるソフトウェア処理動作を説明するフローチャート。
【図６】実施形態に係わる電子機器のマイコンにおけるソフトウェア処理動作のプログラム（動作モード１）を詳細に説明するフローチャート。
【図７】実施形態に係わる電子機器の動作を説明するフローチャート。
【発明を実施するための形態】
【００１３】
以下、図面を参照し、実施の形態を説明する。
【００１４】
図１は、実施形態に係わる電子機器の外観を示す図である。
【００１５】
ここでは、電子機器１００の一例として、テレビを用いて説明を行うが、電子機器１００は、テレビに限られず、パーソナルコンピュータ（ＰＣ）、タブレットＰＣ、スマートフォン等の電子機器にも適用可能である。
【００１６】
電子機器１００は、ユーザが操作するリモートコントローラ（リモコン）によって制御することが可能である。
【００１７】
そして、この実施形態においては、電子機器１００は、多機能である標準リモコン２０および、操作が簡易な簡易リモコン２１のどちらのリモコンによっても制御することが可能である。
【００１８】
そして、電子機器１００は、リモコン（例えば、多機能である標準リモコン２０または、操作が簡易な簡易リモコン２１）から出力された電源ＯＮを指示するリモコン信号を受信し、電子機器１００の電源をＯＮ制御する。
【００１９】
そして、電子機器１００は、上記リモコン信号を出力したリモコンが、例えば、第１のリモコン（標準リモコン２０）であるか、第２のリモコン（簡易リモコン２１）であるかを検出する。
【００２０】
また、電子機器１００は、上記検出されたリモコンが、例えば、第１のリモコン（標準リモコン２０）である場合は、第１の表示（図４（ａ））を出力し、第１のリモコン（標準リモコン２０）の指示で動作する。
【００２１】
また、電子機器１００は、上記検出されたリモコンが、例えば、第２のリモコン（簡易リモコン２１）である場合は、第２の表示（図４（ｂ））を出力し、第２のリモコン（簡易リモコン２１）の指示で動作する。
【００２２】
図２は、実施形態に係わる電子機器の構成を示すブロック図である。
【００２３】
ここでは、電子機器１００として、テレビジョン放送受信機を用い、説明を行う。
【００２４】
テレビジョン信号は、例えば、端子１を経て、チューナ３に供給される。このチューナ３の出力は、テレビ用プロセッサ４に供給される。
【００２５】
また、例えば、テレビジョン信号は、外部端子２にも供給される。この外部端子２より供給されるテレビジョン信号も、テレビ用プロセッサ４に供給される。
【００２６】
このテレビ用プロセッサ４は、例えば、マイクロコンピュータ（マイコン）５を備えている。テレビ用プロセッサ４は、このマイコン５を内蔵しても良い。
【００２７】
そして、このマイコン５の制御によって、例えば、上記端子１または外部端子２に供給されたテレビジョン信号の映像が表示画面（液晶パネル）１２に表示出力される。
【００２８】
マイコン５は、例えば、複数のキースイッチを実装したコントロールパネル８、リモコン（多機能である標準リモコン２０または、操作が簡易な簡易リモコン２１）から出力された赤外線によるコマンド（リモコン信号）を赤外線受光器９で受光する。
【００２９】
そして、この実施形態においては、電子機器１００は、標準リモコン２０および、簡易リモコン２１のどちらのリモコンによっても制御することが可能である。
【００３０】
そして、例えば、電子機器１００は、リモコン（多機能である標準リモコン２０または、操作が簡易な簡易リモコン２１のどちらか）から出力されたコマンド（電源ＯＮを指示するリモコン信号）を受信し、電子機器１００の電源をＯＮ制御する。
【００３１】
なお、標準リモコン２０は、上記コマンド（電源ＯＮを指示するリモコン信号）に加え、例えば、標準リモコン２０を識別可能な識別符号（ＩＤ）を出力する。ここでは、標準リモコン２０の識別符号（ＩＤ）は、例えば、図２に示すように、「ａ」である。
【００３２】
また、同様に、簡易リモコン２１は、上記コマンド（電源ＯＮを指示するリモコン信号）に加え、例えば、簡易リモコン２１を識別可能な識別符号（ＩＤ）を出力する。ここでは、簡易リモコン２１の識別符号（ＩＤ）は、例えば、「ｂ」である。
【００３３】
この実施形態においては、電子機器１００は、例えば、これらの識別符号（ＩＤ）「ａ」または「ｂ」を用い、リモコン信号を出力したリモコンが、例えば、第１のリモコン（標準リモコン２０）であるか、第２のリモコン（簡易リモコン２１）であるかを検出する。
【００３４】
なお、上記標準リモコン２０の識別符号（ＩＤ）は「ａ」であることや、上記簡易リモコン２１の識別符号（ＩＤ）は「ｂ」であることの情報は、例えば、テレビ用プロセッサが構成するメモリ（図示せず）等に、予め記憶しておいても良い。
【００３５】
そして、電子機器１００は、上記検出されたリモコンが、例えば、第１のリモコン（標準リモコン２０）である場合は、第１の表示（図４（ａ））を出力し、第１のリモコン（標準リモコン２０）の指示で動作する。
【００３６】
また、電子機器１００は、上記検出されたリモコンが、例えば、第２のリモコン（簡易リモコン２１）である場合は、第２の表示（図４（ｂ））を出力し、第２のリモコン（簡易リモコン２１）の指示で動作する。
【００３７】
すなわち、この実施形態においては、例えば、電源ＯＮを指示するコマンド（リモコン信号）を出力したリモコンの指示（出力）に基づいて、電子機器（テレビ）１００の動作が制御される。
【００３８】
なお、他の実施形態として、上記コマンド（電源ＯＮ指示）に代え、他のコマンドを出力したリモコンの指示（出力）に基づいて、電子機器（テレビ）１００の動作が制御されるように構成しても良い。
【００３９】
また、テレビ用プロセッサ４は、例えば、液晶ドライバー１１に映像信号を出力する。ここでは、液晶ドライバー１１には、液晶パネルを駆動する駆動回路を含んでいる。そして、この映像信号に基づいて、液晶パネル１２を駆動し、映像が表示出力される。
【００４０】
また、テレビ用プロセッサ４は、バックライトドライバー１５に対して、バックライトの明るさを調整するPWM(Plus Width Modulation)信号を出力する。
【００４１】
バックライトドライバー１５は、例えば、電流増幅処理を行い、ＬＥＤバックライト１０を駆動する。
【００４２】
このＬＥＤバックライト１０は、例えば、電流増幅されたPWM信号に基づいて、点灯、消灯を高速で繰り返す。これらの動作によって、ＬＥＤバックライト１０の明るさが制御される。
【００４３】
また、テレビ用プロセッサ４は、アンプ１３に対して音声信号を出力する。
【００４４】
アンプ１３は、入力された音声信号に基づいて、スピーカー１４を駆動する。そして、スピーカー１４より音声が出力される。
【００４５】
また、マイコン５には、例えば、複数のキーボタンが配置されたコントロールパネル８や赤外線受光器９が接続されている。
【００４６】
ユーザは、例えば、上記コントロールパネル８、または、第１のリモコン（標準リモコン２０）や第２のリモコン（簡易リモコン２１）を用い、電子機器（テレビ）１００の動作を指示する。
【００４７】
例えば、これらの第１のリモコン（標準リモコン２０）や第２のリモコン（簡易リモコン２１）は、いずれも、テレビジョン放送受信機の動作を待機からＯＮの状態、あるいは、ＯＮの状態から待機状態に移行させるための電源ボタンを備えている。
【００４８】
そして、リモコン（第１のリモコン（標準リモコン２０）や第２のリモコン（簡易リモコン２１））上の電源ボタンが押された際は、電源ボタン押下を示すリモコン・コードと、さらに、リモコン（第１のリモコン（標準リモコン２０）や第２のリモコン（簡易リモコン２１））の識別用のＩＤコードが、赤外線として出力される。
【００４９】
受光器９は、例えば、第１のリモコン（標準リモコン２０）や第２のリモコン（簡易リモコン２１））の識別用のＩＤコード（両コード）を認識し、電気信号に変換してマイコン５に出力する。
【００５０】
マイコン５は、例えば、プログラム格納用メモリ７に格納された、待機＆起動用プログラム７０を実行している。
【００５１】
そして、リモコン（第１のリモコン（標準リモコン２０）や第２のリモコン（簡易リモコン２１））の電源ボタン押下を認識し、電子機器（テレビ）１００の起動動作に移行する。
【００５２】
また、リモコン識別用ＩＤコード（標準リモコン２０の識別符号（ＩＤ）「ａ」や簡易リモコン２１の識別符号（ＩＤ）「ｂ」等）を認識（検出）し、例えば、標準モードで動作するか、簡易モードで動作するか等の動作モードを決定する。
【００５３】
そして、マイコン５は、決定された動作モードに従って、プログラム格納用メモリ７に格納された所定のプログラム（プログラム（動作モード１）７１、プログラム（動作モード２）７２）を実行する。
【００５４】
そして、この動作モードに従って、設定保存用メモリ６に格納された、各モードの設定データ（設定（動作モード１）６１、設定（動作モード２）６２等）を読み込み、各動作モードのための設定を行う。
【００５５】
このように構成することにより、電源ボタンが押されたリモコンに対応した動作モード（例えば、標準モードや簡易モード）で、電子機器（テレビ）１００が起動するようになる。
【００５６】
すなわち、例えば、標準リモコン２０は、電子機器（テレビ）１００の全機能を操作することが可能なリモコンであり、例えば、この標準リモコン２０で起動すると、電子機器（テレビ）１００は、標準機能（全機能）を操作できる動作モード（標準モード）となる。
【００５７】
また、例えば、簡易リモコン２１は、図３（ｂ）に示すように、キーボタン数を少なくし、テレビ操作に必要最小限の数に留めたものであり、例えば、この簡易リモコン２１で起動すると、電子機器（テレビ）１００は、簡易操作を実現する動作モード（簡易モード）になる。
【００５８】
ここで、簡易モードの動作例を説明する。
【００５９】
例えば、簡易モードにおいては、ユーザの使用頻度があまり高くない機能を停止させ、メニューから削除し、ユーザには使用できないようにすることも可能である（図４（ｂ））。
【００６０】
また、一部の設定を、推奨値に設定すると同時に、メニューから削除し、ユーザには設定できなくする。
【００６１】
また、メニュー、メッセージ、各種ステータス表示の文字を大きくするようにしても良い。
【００６２】
このように構成することにより、例えば、お年寄りや子供等に優しい電子機器（テレビ）１００を提供することが可能になる。
【００６３】
図３は、実施形態に係わる電子機器に用いられるリモコンを示す図である。
【００６４】
図３（ａ）は、標準リモコン２０を示す図である。
【００６５】
図３（ａ）に示すように、標準リモコン２０は、電源キー３１、数字キー３２、「チャンネル」、「画面表示」、「音量」等のキー３３、カーソルキー（３４ａ、３４ｂ、３４ｃ、３４ｄ）、決定キー３５、カラーボタン（３６ａ、３６ｂ、３６ｃ、３６ｄ）等、を備えている。
【００６６】
また、上記に加え、標準リモコン２０は、例えば、「二画面」、「ニュース」、「ブロードバンド」等の一発表示キー５１、スキップキー５２、ちょっとタイムキー５３等、を備えている。
【００６７】
図３（ｂ）は、簡易リモコン２１を示す図である。
【００６８】
図３（ｂ）に示すように、簡易リモコン２１は、電源キー３１、数字キー３２、「チャンネル」、「画面表示」、「音量」等のキー３３、カーソルキー（３４ａ、３４ｂ、３４ｃ、３４ｄ）、決定キー３５、カラーボタン（３６ａ、３６ｂ、３６ｃ、３６ｄ）等、を備えている。
【００６９】
しかし、簡易リモコン２１は、上記のように、キーボタン数を少なくし、テレビ操作に必要最小限の数に留めている。
【００７０】
このため、ここでは、例えば、上記標準リモコン２０で表示した、「二画面」、「ニュース」、「ブロードバンド」等の一発表示キー５１、スキップキー５２、ちょっとタイムキー５３等、は表示しないようにしている。
【００７１】
図４は、実施形態に係わる電子機器に用いられるそれぞれのリモコンに応じて表示されるメニュー画面を示す図である。
【００７２】
上記のように、この実施形態においては、電子機器１００は、リモコン（標準リモコン２０、簡易リモコン２１等）から出力された電源ＯＮを指示するリモコン信号を受信し、電子機器１００の電源をＯＮ制御する。
【００７３】
そして、電子機器１００は、上記リモコン信号を出力（起動を指示）したリモコンが、例えば、第１のリモコン（標準リモコン２０）であるか、第２のリモコン（簡易リモコン２１）であるかを検出する。
【００７４】
そして、電子機器１００は、上記検出されたリモコンが、例えば、第１のリモコン（標準リモコン２０）である場合は、第１の表示（図４（ａ））を出力する。
【００７５】
図４（ａ）は、検出されたリモコンが、例えば、第１のリモコン（標準リモコン２０）である場合に、例えば、表示画面（ＬＣＤ）１２に表示出力されるメニュー画面の例である。
【００７６】
ここでは、図４（ａ）に示すように、例えば、「番組表」４１、「二画面」４２、「ニュース」４３、「ブロードバンド」４４、「録画再生」４５、「ちょっとタイム」４６等、例えば、電子機器１００の多機能に対応したメニュー画面が、例えば、表示画面（ＬＣＤ）１２に表示出力される。
【００７７】
そして、電子機器１００は、ユーザに操作されるこの第１のリモコン（標準リモコン２０）の指示で動作する。
【００７８】
また、電子機器１００は、上記検出されたリモコンが、例えば、第２のリモコン（簡易リモコン２１）である場合は、第２の表示（図４（ｂ））を出力する。
【００７９】
図４（ｂ）は、検出されたリモコンが、例えば、第２のリモコン（簡易リモコン２１）である場合に、例えば、表示画面（ＬＣＤ）１２に表示出力されるメニュー画面の例である。
【００８０】
ここでは、図４（ｂ）に示すように、例えば、「番組表」４１が、例えば、表示画面（ＬＣＤ）１２に表示出力される。
【００８１】
しかし、例えば、図４（ａ）に示した「二画面」４２、「ニュース」４３、「ブロードバンド」４４、「録画再生」４５、「ちょっとタイム」４６等は表示出力されない。
【００８２】
すなわち、ここでは、上記多機能表示に比べ、機能が限定されることはあるものの、操作が簡易なリモコンに対応したメニュー画面が表示出力される。
【００８３】
そして、電子機器１００は、ユーザに操作されるこの第２のリモコン（簡易リモコン２１）の指示で動作する。
【００８４】
図５は、実施形態に係わる電子機器のマイコンにおけるソフトウェア処理動作を説明するフローチャートである。
【００８５】
ステップＳ１００は、ここでの開始ステップである。ここでは、例えば、リモコン信号の待機状態である。続いて、ステップＳ１０１に進む。
【００８６】
ステップＳ１０１は、例えば、マイコン５は、コントロールパネル８の状態をモニターし、電子機器（テレビ）本体に設けられたコントロールパネル８の電源（主電源）ボタンがＯＮ指示されないかを検出するステップである。電源（主電源）ボタンがＯＮ指示されないと検出される場合は、ステップＳ１０２に進む（Ｙｅｓ）。電源（主電源）ボタンがＯＮ指示されないと検出されない（電源（主電源）ボタンがＯＮ指示されたと検出された）場合は、ステップＳ１０４に進む（Ｎｏ）。
【００８７】
ステップＳ１０２は、リモコン（第１のリモコン（標準リモコン２０）、第２のリモコン（簡易リモコン２１）等）から出力された、電子機器１００の電源をＯＮ指示するコマンド（リモコン信号）を受信したかを検出するステップである。電子機器１００の電源をＯＮ指示するコマンド（リモコン信号）を受信したと検出される場合は、ステップＳ１０３に進む（Ｙｅｓ）。電子機器１００の電源をＯＮ指示するコマンド（リモコン信号）を受信しないと検出される場合は、ステップＳ１０１に戻り、上記処理を繰り返す（Ｎｏ）。
【００８８】
ステップＳ１０３は、上記リモコン信号に含まれる識別符号（ＩＤ）を検出し、上記コマンド（リモコン信号）を出力したリモコンが、例えば、第１のリモコン（標準リモコン２０）であるか、第２のリモコン（簡易リモコン２１）であるかを検出するステップである。上記コマンド（リモコン信号）を出力したリモコンが、第１のリモコン（標準リモコン２０）であると検出される場合は、ステップＳ１０４に進む（ＩＤ＝ａ（第１のリモコン））。上記コマンド（リモコン信号）を出力したリモコンが、第２のリモコン（簡易リモコン２１）であると検出される場合は、ステップＳ１０５に進む（ＩＤ＝ｂ（第２のリモコン））。
【００８９】
ステップＳ１０４は、動作モード１（標準モード）７１のプログラムを実行するステップである。このとき、電子機器（テレビ）は、動作モード１で起動する。続いて、ステップＳ１０６に進む。
【００９０】
ステップＳ１０５は、動作モード２（簡易モード）７２のプログラムを実行するステップである。続いて、ステップＳ１０６に進む。
【００９１】
ステップＳ１０６は、終了ステップであり、ここでの処理は終了する。
【００９２】
図６は、実施形態に係わる電子機器のマイコンにおけるソフトウェア処理動作のプログラム（動作モード１）を詳細に説明するフローチャートである。
【００９３】
ステップＳ２００は、ここでの開始ステップである。続いて、ステップＳ２０１に進む。
【００９４】
ステップＳ２０１は、動作モード１（標準モード）において、音量やチャンネル等の設定を読み込むステップである。続いて、ステップＳ２０２に進む。
【００９５】
ステップＳ２０２は、電子機器（テレビ）１００の起動処理を行うステップである。続いて、ステップＳ２０３に進む。
【００９６】
ステップＳ２０３は、電子機器（テレビ）１００に対する所定の操作（例えば、電源ＯＦＦ操作または設定変更操作）が発生したかを検出するステップである。電子機器（テレビ）１００に対する電源ＯＦＦ操作が発生したと検出される場合は、ステップＳ２０４に進む。電子機器（テレビ）１００に対する設定変更操作が発生したと検出される場合は、ステップＳ２０５に進む。
【００９７】
ステップＳ２０４は、電子機器（テレビ）１００の電源をＯＦＦにし、終了処理するステップである。続いて、ステップＳ２０７に進む。
【００９８】
ステップＳ２０５は、音量やチャンネル等の設定を変更するステップである。続いて、ステップＳ２０６に進む。
【００９９】
ステップＳ２０６は、動作モード１（標準モード）において、音量やチャンネル等の設定を書き出すステップである。続いて、ステップＳ２０３に進み、上記処理を繰り返す。
【０１００】
ステップＳ２０７は、終了ステップであり、上記処理を繰り返す。
【０１０１】
図７は、実施形態に係わる電子機器の動作を説明するフローチャートである。
【０１０２】
ステップＳ３００は、ここでの開始ステップである。続いて、ステップＳ３０１に進む。
【０１０３】
ステップＳ３０１は、リモコン（第１のリモコン（標準リモコン２０）、第２のリモコン（簡易リモコン２１）等）から出力された、例えば、電源ＯＮを指示するコマンド（リモコン信号）を受信したかを検出するステップである。電源ＯＮを指示するコマンド（リモコン信号）を受信したと検出される場合は、ステップＳ３０２に進む（Ｙｅｓ）。電源ＯＮを指示するコマンド（リモコン信号）を受信しないと検出される場合は、ここでの処理を繰り返す（Ｎｏ）。
【０１０４】
ステップＳ３０３は、例えば、リモコン信号に含まれる識別符号（ＩＤ）を用い、電源ＯＮを指示するコマンド（リモコン信号）を出力したリモコンは、第１のリモコン（標準リモコン）であるかを検出するステップである。
【０１０５】
電源ＯＮを指示するコマンド（リモコン信号）を出力したリモコンは、第１のリモコン（標準リモコン）であると検出される場合は、ステップＳ３０４に進む（Ｙｅｓ）。電源ＯＮを指示するコマンド（リモコン信号）を出力したリモコンは、第１のリモコン（標準リモコン）ではないと検出される場合は、ステップＳ３０６に進む（Ｎｏ）。
【０１０６】
ステップＳ３０４は、例えば、図４（ａ）に示すような第１の表示（標準操作仕様）を出力するステップである。続いて、ステップＳ３０５に進む。
【０１０７】
ステップＳ３０５は、電子機器（テレビ）１００が、第１のリモコン（標準リモコン）２０の指示で動作するステップである。続いて、ステップＳ３０９に進む。
【０１０８】
ステップＳ３０６は、例えば、リモコン信号に含まれる識別符号（ＩＤ）を用い、電源ＯＮを指示するコマンド（リモコン信号）を出力したリモコンは、第２のリモコン（簡易リモコン）であるかを検出するステップである。
【０１０９】
電源ＯＮを指示するコマンド（リモコン信号）を出力したリモコンは、第２のリモコン（簡易リモコン）であると検出される場合は、ステップＳ３０７に進む（Ｙｅｓ）。電源ＯＮを指示するコマンド（リモコン信号）を出力したリモコンは、第２のリモコン（簡易リモコン）ではないと検出される場合は、ステップＳ３０９に進む（Ｎｏ）。
【０１１０】
ステップＳ３０７は、例えば、図４（ｂ）に示すような、第２の表示（簡易操作仕様）を出力するステップである。続いて、ステップＳ３０８に進む。
【０１１１】
ステップＳ３０８は、電子機器（テレビ）１００が、第２のリモコン（簡易リモコン）２１の指示で動作するステップである。続いて、ステップＳ３０９に進む。
【０１１２】
ステップＳ３０９は、終了ステップであり、ここでの処理は終了する。
【０１１３】
すなわち、この実施形態においては、電子機器（テレビ）１００は、リモコン（第１のリモコン（標準リモコン２０）、第２のリモコン（簡易リモコン２１）等）から出力された電源ＯＮを指示するリモコン信号を受信し、電源をＯＮ制御する電源制御部（赤外線受光部９、マイコン５等）を備える。
【０１１４】
また、リモコン信号を出力したリモコンが第１のリモコン（標準リモコン２０）であるか、第２のリモコン（簡易リモコン２１）であるかを検出するリモコン検出部を備える。
【０１１５】
また、検出されたリモコンが第１のリモコン（標準リモコン２０）である場合は第１の表示（図４（ａ））を出力し、第１のリモコン（標準リモコン２０）の指示で動作する。
【０１１６】
また、検出されたリモコンが第２のリモコン（簡易リモコン２１）である場合は第２の表示（図４（ｂ））を出力し、第２のリモコン（簡易リモコン２１）の指示で動作する。
【０１１７】
また、この実施形態においては、例えば、リモコンの検出に、リモコン信号に含まれる識別符号（ＩＤ）が用いられる。
【０１１８】
また、第１の表示（図４（ａ））は、操作可能な項目の数が、第２の表示（図４（ｂ））よりも多く出力されている。
【０１１９】
例えば、第１の表示（図４（ａ））には、第２の表示（図４（ｂ））には表示されない「二画面」４２、「ニュース」４３、「ブロードバンド」４４、「録画再生」４５、「ちょっとタイム」４６等が表示出力されている。
【０１２０】
また、図３（ａ）および図３（ｂ）に示すように、第１のリモコン（標準リモコン２０）は、第２のリモコン（簡易リモコン２１）より操作キーが多く配置されている。
【０１２１】
例えば、第１のリモコン（標準リモコン２０）は、第２のリモコン（簡易リモコン２１）に比べ、さらに、「二画面」、「ニュース」、「ブロードバンド」等の一発表示キー５１、スキップキー５２、ちょっとタイムキー５３等、を備えている。
【０１２２】
このように、この実施形態においては、例えば、ユーザがリモコン（第１のリモコン（標準リモコン２０）、第２のリモコン（簡易リモコン２１）等）によって、電子機器（テレビ）１００側の動作仕様を変更することが可能になる。
【０１２３】
これにより、例えば、電子機器（テレビ）１００が１台であるにもかかわらず、あたかも、動作仕様が異なる複数の電子機器（テレビ）１００を備えたことと同等となる。
【０１２４】
これにより、複数のユーザに対して、複数の動作仕様を備えた電子機器（テレビ）１００を提供することが可能となる。
【０１２５】
また、他の実施形態として、動作モードの数、また、各動作モードの仕様を特定する他、さまざまな実施形態が可能である。
【０１２６】
例えば、上記説明では、動作モードが二つの例を用いたが、例えば、動作モードを３つとしても良い。
【０１２７】
この場合、例えば、動作モード１は標準モード、動作モード２は簡易モードとし、動作モード３にホテル専用のモードを追加することも可能である。
【０１２８】
例えば、上記と同様に、ホテル専用のリモコン（ホテルリモコン）を構成する。
【０１２９】
そして、そのホテル専用のリモコン（ホテルリモコン）で電子機器（テレビ）１００を起動した場合は、電子機器（テレビ）１００起動時に、例えば、「表示画面（ＬＣＤ）１２に、ホテルのロゴを表示する」、「毎回、特定のソース、特定の設定で起動する」、「チャンネルセットアップ等、お客様に操作させたくない機能をメニュー上から外す」ようにしても良い。そして、このような、ホテル専用プログラムが実行される構成にしても良い。
【０１３０】
また、他の実施形態として、例えば、色の違う複数のリモコンを提供し、それぞれの色の違うリモコンで立ち上げた場合は、メニューなどの表示をそれぞれの色の違うリモコンの色にあった色調にするようにしても良い。
【０１３１】
また、複数のリモコンを提供する場合、必ずしもリモコン本体が複数でなくとも良い。
【０１３２】
例えば、リモコン自体はひとつでありながら、リモコンに識別用ＩＤを切り替えるスイッチ（識別用ＩＤ設定スイッチ）を設けることで、上記と同様の動作を実現することも可能である。
【０１３３】
さらに、リモコンにカバーを付けることで押せるボタンの数を削減する試みもあるが、リモコンにカバーが付けられた際は、例えば、上記識別用ＩＤ設定スイッチが自動的に押下される機構を設けることで、これを実現することも可能である。
【０１３４】
また、近年、スマートフォン等で、リモコンのアプリケーションを実行することも可能になりつつある。これを応用し、アプリケーションによってリモコン識別用ＩＤを変更し、例えば、標準モード用のアプリケーションや、簡易モード用のアプリケーションを提供することも可能である。
【０１３５】
また、上記リモコンは、赤外線リモコンを用いる例を用いて説明を行ったが、無線リモコンや有線リモコンに置き換えることも可能である。
【０１３６】
また、例えば、電子機器１００をキーボード付きのリモコンで起動した場合は、Webブラウザーが自動的に起動するようにすることも可能である。
【０１３７】
上記のように構成することによって、この実施形態においては、リモコンで操作される電子機器において、多機能なリモコンを所望するユーザと、操作が簡易なリモコンを所望するユーザの、両者の希望を実現させることが可能になる。
【０１３８】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３９】
なお、上記実施形態は、記述そのものに限定されるものではなく、実施段階では、その趣旨を逸脱しない範囲で、構成要素を種々変形して具体化することが可能である。
【０１４０】
また、上記実施形態に開示されている複数の構成要素の適宜な組み合せにより種々の発明を形成できる。
【０１４１】
例えば、実施形態に示される全構成要素から幾つかの構成要素を削除してもよい。更に、異なる実施形態に亘る構成要素を適宜組み合せてもよい。
【符号の説明】
【０１４２】
１２…表示画面（ＬＣＤ）、２０…標準リモコン（第１のリモコン）、２１…簡易リモコン（第２のリモコン）、１００…電子機器（テレビ）。
【図１】
2014013979.tif 000003
【図２】
2014013979.tif 000004
【図３】
2014013979.tif 000005
【図４】
2014013979.tif 000006
【図５】
2014013979.tif 000007
【図６】
2014013979.tif 000008
【図７】
2014013979.tif 000009